(57)【要約】【課題】カビや雑菌等が加湿エレメント上で繁殖することを抑制し、節電及び節水に寄与する加湿装置を提供する。【解決手段】制御手段８０は、給水弁２３を開放し送風手段５を停止させる洗浄モードと、給水弁２３を閉塞し送風手段５を停止させる停止モードと、給水弁２３を閉塞し送風手段５を回転させる乾燥モードと、を有し、温度センサ７２の検知値及び湿度センサ７１の検知値に基づいて、洗浄モード、停止モード、及び乾燥モードのうち何れかを選択する選択処理を行う。【選択図】図１
2015152182.tif 000002
【特許請求の範囲】
【請求項１】
吸込口及び吹出口が設けられ内部に風路が形成された本体と、
前記本体の前記風路上に設けられる加湿エレメントと、
給水弁を有し、前記加湿エレメントに給水する給水手段と、
前記加湿エレメントに空気を導く送風手段と、
前記風路上に設けられた温度センサと、
前記風路上に設けられた湿度センサと、
前記給水弁及び前記送風手段を制御する制御手段と、を備え、
前記制御手段は、
前記給水弁を開放し前記送風手段を停止させる洗浄モードと、
前記給水弁を閉塞し前記送風手段を停止させる停止モードと、
前記給水弁を閉塞し前記送風手段を回転させる乾燥モードと、を有し、
前記温度センサの検知値及び前記湿度センサの検知値に基づいて、前記洗浄モード、前記停止モード、及び前記乾燥モードのうち何れかを選択する選択処理を行う
ことを特徴とする加湿装置。
【請求項２】
前記制御手段は、
前記給水弁を開放し前記送風手段を回転させる加湿モードと、
前記給水弁を閉塞し前記送風手段を回転させる送風モードと、を有し、
前記加湿モード又は前記送風モードの開始後に前記選択処理を行う
ことを特徴とする請求項１に記載の加湿装置。
【請求項３】
前記制御手段は、
前記送風手段が回転している間、単位時間毎に基準カウント数をカウントして累積し、
前記温度センサの検知値、前記湿度センサの検知値、及び累積したカウント数に基づいて前記選択処理を行い、選択したモードを実行する
ことを特徴とする請求項１又は請求項２に記載の加湿装置。
【請求項４】
前記制御手段は、
前記湿度センサの検知値及び前記送風手段の回転数の少なくとも何れかに基づいて前記基準カウント数を変更する
ことを特徴とする請求項３に記載の加湿装置。
【請求項５】
前記制御手段は、
前記選択処理を行い前記乾燥モードが選択された場合に、累積したカウント数が規定値以上であるか否かを判定し、累積したカウント数が規定値以上である場合には前記停止モードを実行し、累積したカウント数が規定値未満である場合には前記乾燥モードを実行する
ことを特徴とする請求項３又は請求項４に記載の加湿装置。
【請求項６】
前記制御手段は、
前記選択処理を行い前記洗浄モードが選択された場合に、累積したカウント数が規定値以上であるか否かを判定し、累積したカウント数が規定値以上である場合には前記停止モードを実行し、累積したカウント数が規定値未満である場合には前記洗浄モードを実行する
ことを特徴とする請求項３〜請求項５の何れか一項に記載の加湿装置。
【請求項７】
前記制御手段は、
前記温度センサの検知値に基づいて前記停止モードの動作時間を決定する
ことを特徴とする請求項１〜請求項６の何れか一項に記載の加湿装置。
【請求項８】
節電モードを選択可能な操作手段を備え、
前記制御手段は、
前記選択処理が行われて前記乾燥モードが選択され且つ前記操作手段により前記節電モードが選択された場合には、前記洗浄モードを実行する
ことを特徴とする請求項１〜請求項７の何れか一項に記載の加湿装置。
【請求項９】
節水モードを選択可能な操作手段を備え、
前記制御手段は、
前記選択処理が行われて前記洗浄モードが選択され且つ前記操作手段により前記節水モードが選択された場合には、前記乾燥モードを実行する
ことを特徴とする請求項１〜請求項８の何れか一項に記載の加湿装置。
【請求項１０】
前記風路上で且つ前記加湿エレメントの上流側には加熱手段が設けられ、
前記制御手段は、
前記選択処理が行われて前記洗浄モードが選択され且つ前記操作手段により前記節水モードが選択された場合には、前記加熱手段の加熱動作を開始させて前記乾燥モードを実行する
ことを特徴とする請求項９に記載の加湿装置。
【発明の詳細な説明】
【技術分野】
【０００１】
本発明は、加湿装置に関する。
【背景技術】
【０００２】
従来より、加湿エレメントから発せられる不快な臭いの抑制を図った加湿装置が提案されている（例えば、特許文献１及び特許文献２）。
【０００３】
特許文献１に記載の加湿装置は、加湿運転でない状態（加湿ユニットの回転が停止している状態）において、送風手段の駆動状態に応じて、乾き防止手段が、駆動状態に対応して定められた所定時間のインターバルで、加湿ユニットを少なくとも１回転させることで、加湿運転でない状態でも、加湿ユニット全体が、常に、貯水槽の水で濡れるようにすることで、加湿ユニットが生乾きになることを抑制し、結果として生乾きに伴う不快な臭いの発生を抑制している。
【０００４】
特許文献２に記載の加湿装置は、加湿運転中に運転停止操作が行われると、予め決められた風量で、予め決められた時間だけ送風を行う自動乾燥運転を実施し、加湿運転後に空気清浄運転を経由して運転停止操作が行われると、前記空気清浄運転時の風量に関わらず、前記気化フィルタの回転が停止してから一定時間以上経過したか否かを判断し、一定時間未満の場合は前記自動乾燥運転を実施することで、気化フィルタにカビや雑菌が繁殖するのを抑制し、悪臭や雑菌を放つことを抑制している。
【先行技術文献】
【特許文献】
【０００５】
【特許文献１】特開２０１１−３３２５３号公報（［００１０］）
【特許文献２】特開２０１２−３７１６９号公報（［０００９］、［００１１］）
【発明の概要】
【発明が解決しようとする課題】
【０００６】
特許文献１に記載の加湿装置は、使用者が空気清浄運転及び加湿運転を共にＯＦＦ（すなわち、加湿付き空気清浄機を停止）の指令を出した場合、加湿ユニットの回転がＯＦＦされる。このため、送風機停止の状態が長期間継続すると、加湿ユニットではカビや雑菌等が繁殖し、さらに自然蒸発に伴い加湿ユニットが生乾きの状態となる可能性があり、次回送風機が運転する際に、カビや雑菌等と共に生乾き臭を居室内に撒き散らす可能性があった。
【０００７】
また、特許文献１に記載の加湿装置は、加湿運転ＯＦＦとなる場合であっても、加湿ユニットを乾燥させるどころか、常に加湿ユニットを湿潤状態にするため、加湿ユニット上での気化作用に伴い、加湿供給水を無駄に消費し続けていた。特に異常気象等による渇水時等で節水を余儀なくされた状況であっても、無駄に水が消費されるため、使用者の意図する動作になっていない可能性があった。
【０００８】
特許文献２に記載の加湿装置は、加湿運転後に空気清浄運転を経由して運転停止操作が行われると、空気清浄運転時の風量に関わらず、前記気化フィルタの回転が停止してから一定時間以上経過したか否かを判定し、一定時間以上経過していた場合は自動乾燥運転を実施しないようにしていた。このため、空気清浄運転時に気化フィルタを通過する吸い込み空気が高湿であった場合には、前記一定時間を経過しても気化フィルタが十分乾燥しきれないケースがあった。このような状況で自動乾燥運転を実施しなければ、気化フィルタ上でカビや雑菌等が繁殖するため、次回送風機が運転する際に、カビや雑菌等と共に異臭を居室内に撒き散らす可能性があった。
【０００９】
また、特許文献２に記載の加湿装置は、ビル管理システム等から節電指令が出ている状況であっても、気化フィルタを乾燥させるために、非常に多くの時間（数十分〜数時間程度）を掛けて、送風機を回転させ続けていた。すなわち、節電を実施すべき状況で、多大な電力消費を伴う乾燥制御は、使用者の意図する動作になっていない可能性があった。
【００１０】
本発明は、上述のような課題を背景としてなされたものであり、カビや雑菌等が加湿エレメント上で繁殖することを抑制し、節電及び節水に寄与する加湿装置を提供することを目的とする。
【課題を解決するための手段】
【００１１】
本発明の加湿装置は、吸込口及び吹出口が設けられ内部に風路が形成された本体と、前記本体の前記風路上に設けられる加湿エレメントと、給水弁を有し、前記加湿エレメントに給水する給水手段と、前記加湿エレメントに空気を導く送風手段と、前記風路上に設けられた温度センサと、前記風路上に設けられた湿度センサと、前記給水弁及び前記送風手段を制御する制御手段と、を備え、前記制御手段は、前記給水弁を開放し前記送風手段を停止させる洗浄モードと、前記給水弁を閉塞し前記送風手段を停止させる停止モードと、前記給水弁を閉塞し前記送風手段を回転させる乾燥モードと、を有し、前記温度センサの検知値及び前記湿度センサの検知値に基づいて、前記洗浄モード、前記停止モード、及び前記乾燥モードのうち何れかを選択する選択処理を行うものである。
【発明の効果】
【００１２】
本発明によれば、制御手段が、温度センサの検知値及び湿度センサの検知値に基づいて、洗浄モード、停止モード、及び乾燥モードのうち何れかを選択する選択処理を行う。このため、カビや雑菌等が加湿エレメント上で繁殖することを抑制し、節電及び節水に寄与する加湿装置を提供することができる。
【図面の簡単な説明】
【００１３】
【図１】本発明の実施の形態１に係る加湿装置１００の断面図である。
【図２】本発明の実施の形態１に係る加湿装置１００の運転時の制御例を説明するフローチャート（加湿装置の運転シーケンス）である。
【図３】本発明の実施の形態１に係る加湿装置１００の制御手段８０の乾燥タイマー８０ａのカウント方法を判定する一例を示す図である。
【図４】本発明の実施の形態１に係る加湿装置１００の停止時の制御例を説明するフローチャート（加湿装置の停止シーケンス）である。
【図５】本発明の実施の形態１に係る加湿装置１００の制御手段８０の制御モードを判定する一例を示す図である。
【図６】本発明の実施の形態１に係る加湿装置１００の停止モードにおける停止時間を判定する一例を示す図である。
【図７】本発明の実施の形態２に係る加湿装置１００の停止時の制御例を説明するフローチャート（加湿装置の停止シーケンス）である。
【図８】本発明の実施の形態３に係る加湿装置１００の断面図である。
【図９】本発明の実施の形態３に係る加湿装置１００の停止時の制御例を説明するフローチャート（加湿装置の停止シーケンス）である。
【図１０】本発明の実施の形態４に係る加湿装置１００の断面図である。
【発明を実施するための形態】
【００１４】
以下、本発明の加湿装置１００の一実施例を図面に基づいて説明する。
【００１５】
実施の形態１．
図１は本発明の実施の形態１に係る加湿装置１００の断面図である。図１に示されるように、加湿装置１００は、本体１と、加湿エレメント２と、送風手段５と、給水手段２１と、給水槽３１と、排水槽４１と、排水手段５１と、操作手段７０と、湿度センサ７１と、温度センサ７２と、制御手段８０と、空気清浄フィルタ９０と、を備える。なお、加湿装置１００が、排水手段５１、操作手段７０、及び空気清浄フィルタ９０を備える例について説明したが、排水手段５１、操作手段７０、及び空気清浄フィルタ９０は必須の構成ではない。
【００１６】
本体１は、加湿装置１００の外郭を形成する部材である。本体１には、吸込口１ａ、吹出口１ｂ、給水接続口１ｃ、及び排水接続口１ｄが設けられている。吸込口１ａ及び吹出口１ｂが設けられることで、ダクト搬送できるように風路３が形成される。風路３には、風路３の上流側から順に、空気清浄フィルタ９０、湿度センサ７１、温度センサ７２、加湿エレメント２、送風手段５が設けられている。送風手段５は、例えばシロッコファンで構成される。
【００１７】
給水手段２１は、給水槽３１に給水するためのものであり、給水配管２２と、給水弁２３と、を備え、本体１の内部に設けられている。給水配管２２は、一端が本体１に設けられた給水接続口１ｃに位置し、他端（給水口２２ａ）が給水槽３１の上方に位置している。給水弁２３は、給水接続口１ｃから給水配管２２に供給された水を給水口２２ａ側に導くように開放し、又は閉塞するものである。
【００１８】
給水槽３１は、給水手段２１から供給された水を溜める部材である。給水槽３１は、加湿供給水３２を溜めることができるように、底面の周囲から上方に立ち上がった周壁を有する部材である。給水槽３１の底面には例えば複数の孔（図示省略）が形成されており、給水手段２１により供給された加湿供給水３２を加湿エレメント２に分散させている。なお、給水槽３１より加湿エレメント２へ加湿供給水３２を分散させる手段は他のどのようなものでもよい。
【００１９】
排水槽４１は、加湿エレメント２の下方に設けられ、加湿エレメント２で気化されなかった加湿供給水３２の残水４２を溜める部材である。排水槽４１は、残水４２を溜めることができるように、底面の周囲から上方に立ち上がった周壁を有する部材である。排水槽４１は、排水槽４１に溜まった水を排水手段５１によって、排出できるような手段（例えば、底面が傾斜した構造を有する等）を持つことが望ましい。
【００２０】
排水手段５１は、排水槽４１に溜まった残水４２を本体１の外部に排出するためのものであり、排水配管５２を備え、本体１の内部に設けられている。排水配管５２は、一端が排水接続口１ｄに位置し、他端（排水口５２ａ）が排水槽４１の下方に位置している。排水口５２ａは、排水槽４１の底面の最も低い位置に形成されている。
【００２１】
操作手段７０は、例えば、加湿装置１００の運転開始を要求するボタン及び加湿装置１００の運転停止を要求するボタンを有するリモートコントローラである。なお、操作手段７０は、図示したようなリモートコントローラでなく、本体１に設けられていてもよい。また、加湿装置１００の運転開始を要求するボタン及び加湿装置１００の運転停止を要求するボタンは、１つのボタンで共用されてもよい。
【００２２】
湿度センサ７１は、本体１の内部であって風路３上に位置するように設けられ、風路３上の湿度を検知するものである。温度センサ７２は、本体１の内部であって風路３上に位置するように設けられ、風路３上の温度を検知するものである。空気清浄フィルタ９０は、吸込口１ａから本体１の内部に導入された空気を清浄化するものである。
【００２３】
制御手段８０は、湿度センサ７１の検知値、温度センサ７２の検知値、加湿エレメント２の乾燥状態、操作手段７０で操作された情報等に基づいて、送風手段５及び給水弁２３を制御する。制御手段８０は、例えば、この機能を実現する回路デバイスなどのハードウェア、又はマイコン若しくはＣＰＵなどの演算装置上で実行されるソフトウェアで構成される。また、制御手段８０は、計時機能を有する乾燥タイマー８０ａを備え、乾燥タイマー８０ａの計時情報に基づいて各種運転状態を変更する。
【００２４】
なお、送風手段５は、加湿エレメント２の上流側でなく下流側に位置されていてもよい。また、送風手段５、湿度センサ７１、及び温度センサ７２は、本体１の機外に設けられ、ダクト接続で本体１の上流側又は下流側に設けられていてもよい。
【００２５】
ここで、制御手段８０が給水弁２３を開放した場合における水の流れについて説明する。給水接続口１ｃから給水配管２２に供給された水は、給水配管２２の内部を流れ、給水口２２ａを通って給水槽３１に供給される。給水槽３１に供給された加湿供給水３２は、給水槽３１の底面に形成された孔を通って、加湿エレメント２に供給される。加湿エレメント２に供給された加湿供給水３２のうち蒸発しなかった水は、残水４２となって排水槽４１に排出される。排水槽４１に供給された残水４２は、排水口５２ａを通って排水配管５２の内部を流れ、排水接続口１ｄを通って、本体１の外部に排出される。
【００２６】
図２は、本発明の実施の形態１に係る加湿装置１００の運転時の制御例を説明するフローチャート（加湿装置の運転シーケンス）である。図２を用いて、加湿装置１００の運転を開始する要求があった後に行われるステップＳ２１〜ステップＳ２５、Ｓ２６１〜ステップＳ２６５、及びステップＳ２７１〜ステップＳ２７５の処理について説明する。なお、加湿装置１００の運転は、操作手段７０に設けられた加湿装置１００の運転開始を要求するボタン（図示省略）又は操作手段７０に設けられたスケジュール機能（図示省略）を選択することで実行される。
【００２７】
なお、以降の説明において、加湿モードとは、制御手段８０が、加湿装置１００の運転時において、送風手段５を回転させ給水弁２３を開放する制御モードである。
また、以降の説明において、送風モードとは、制御手段８０が、加湿装置１００の運転時において、送風手段５を回転させ給水弁２３を閉塞する制御モードである。
【００２８】
ステップＳ２１において、制御手段８０は、加湿装置１００の制御モードを送風モードに設定し、ステップＳ２２に移行する。ステップＳ２２において、制御手段８０は、送風手段５を回転させ給水弁２３を閉塞し、ステップＳ２３に移行する。
【００２９】
ステップＳ２３において、制御手段８０は、操作手段７０により加湿装置１００の停止を要求する操作がされたか否かを判定する。ステップＳ２３において、制御手段８０は、操作手段７０により加湿装置１００の停止を要求する操作がされたと判定した場合には（ステップＳ２３でＹＥＳ）、加湿装置の運転シーケンスを終了し、後述する加湿装置の停止シーケンスに基づく動作を行う。一方、ステップＳ２３において、制御手段８０は、操作手段７０により加湿装置１００の停止を要求する操作がされなかったと判定した場合には（ステップＳ２３でＮＯ）、ステップＳ２４に移行する。
【００３０】
ステップＳ２４において、制御手段８０は、送風手段５の回転が始まってから一定時間経過したか否かを判定する。ステップＳ２４において、制御手段８０は、送風手段５の回転が始まってから一定時間経過したと判定した場合には（ステップＳ２４でＹＥＳ）、ステップＳ２５に移行する。一方、ステップＳ２４において、制御手段８０は、送風手段５の回転が始まってから一定時間経過していないと判定した場合には（ステップＳ２４でＮＯ）、ステップＳ２３に戻る。
【００３１】
なお、ステップＳ２４における一定時間は例えば５分であるが、具体的な時間はこれに限定されるものではなく、湿度センサ７１及び温度センサ７２の検知値が安定するのに十分な時間を適宜決定することができる。なお、この時間は、例えば、制御手段８０が加湿装置１００の運転を開始する前に算出される。
【００３２】
また、ステップＳ２４における一定時間は、加湿装置１００の設置環境等に応じて調整されてもよい。例えば、ステップＳ２４を省略してもよい。
【００３３】
ステップＳ２５において、制御手段８０は、制御モードが加湿モード及び送風モードの何れであるかを判定する。ステップＳ２５において、制御手段８０は、制御モードが加湿モードであると判定した場合には、ステップＳ２６１へ移行する。ステップＳ２５において、制御手段８０は、制御モードが送風モードであると判定した場合には、ステップＳ２７１に移行する。
【００３４】
なお、後述するステップＳ２６３〜ステップＳ２６５は加湿モードの動作である。また、後述するステップＳ２７３〜ステップＳ２７５は送風モードの動作である。まず、ステップＳ２５において、制御手段８０が、加湿モードと判定した場合の動作について説明する。
【００３５】
ステップＳ２６１において、制御手段８０は、湿度センサ７１の検知値が「目標湿度＋５％」以上であるか否かを判定する。なお、ステップＳ２６１における目標湿度は、例えば、使用者が操作手段７０を操作することで設定しておく。
【００３６】
ステップＳ２６１において、制御手段８０は、湿度センサ７１の検知値が「目標湿度＋５％」以上であると判定した場合には（ステップＳ２６１でＹＥＳ）、ステップＳ２６２において制御モードを送風モードに変更した上で、ステップＳ２５へ戻る。一方、ステップＳ２６１において、制御手段８０は、湿度センサ７１の検知値が「目標湿度＋５％」未満であると判定した場合には（ステップＳ２６１でＮＯ）、ステップＳ２６３へ移行する。
【００３７】
ステップＳ２６３において、制御手段８０は、送風手段５を回転したまま給水弁２３を開放させ、ステップＳ２６４へ移行する。これにより、水道水が給水口２２ａから給水槽３１に給水される。このとき、給水槽３１内の加湿供給水３２は、図示しない給水槽３１の底面に多数形成された孔を通して、加湿エレメント２へ供給される。このとき、送風手段５は回転しているため、吸込口１ａから吸い込まれ空気が風路３内にある加湿エレメント２を通過し吹出口１ｂへ流れ室内へ送風されている。空気が加湿エレメント２を通過することで、加湿エレメント２上の水は気化蒸発し高湿度に加湿された空気を室内へ供給することができる。
【００３８】
なお、本実施の形態１の加湿装置１００では、常に給水手段２１から塩素を含む水道水が加湿エレメント２に直接供給されるため、加湿エレメント２上でカビや雑菌が発生しにくい構造となっている。
【００３９】
また、給水手段２１の給水能力は、加湿モード時の蒸発水量の３倍程度の水量を給水し得るものとし、給水槽３１の容積や給水槽３１の底面に形成される孔の密度等は、加湿供給水３２がオーバーフローしないよう設計されているものとする。
【００４０】
また、仮に給水槽３１の加湿供給水３２が給水槽３１の底面が目詰まりする等の不具合によりオーバーフローした場合は、後述する排水槽４１でオーバーフローした加湿供給水３２を受容する構造とすることで、機外への漏水を抑制している。
【００４１】
なお、加湿モード中、加湿エレメント２で気化されなかった加湿供給水３２の残水４２は排水槽４１へ流れる。残水４２は、この排水槽４１の底面の最も低い位置にある排水口５２ａから本体１に設けられた排水接続口１ｄを通って排水される。
【００４２】
なお、本実施の形態１の加湿装置１００では、加湿エレメント２で気化されなかった残水４２が、加湿エレメント２に循環しない構造となっているので、残水４２が機内に留まることでカビや雑菌が繁殖するような不具合がなく、また残水４２が再利用されることにより、加湿供給水３２のカルキ成分が濃縮されるようなこともない。
【００４３】
ステップＳ２６４において、制御手段８０は、制御モードが加湿モードであるため、乾燥タイマー８０ａを０にクリアしてカウントを停止させ、ステップＳ２６５に移行する。
【００４４】
ステップＳ２６５において、制御手段８０は、操作手段７０により加湿装置１００の停止を要求する操作がされたか否かを判定する。ステップＳ２６５において、制御手段８０は、操作手段７０により加湿装置１００の停止を要求する操作がされたと判定した場合には（ステップＳ２６５でＹＥＳ）、加湿装置の運転シーケンスを終了し、後述する加湿装置の停止シーケンスに基づく動作を行う。一方、ステップＳ２６５において、制御手段８０は、操作手段７０により加湿装置１００の停止を要求する操作がされなかったと判定した場合には（ステップＳ２６５でＮＯ）、ステップＳ２６１に戻る。
【００４５】
次に、ステップＳ２５において、制御手段８０が、送風モードと判定した場合の動作について説明する。
【００４６】
ステップＳ２７１において、制御手段８０は、湿度センサ７１の検知値が「目標湿度−５％」以下であるか否か判定する。ステップＳ２７１において、制御手段８０は、湿度センサ７１の検知値が「目標湿度−５％」以下であると判定した場合には（ステップＳ２７１でＹＥＳ）、ステップＳ２７２において制御モードを加湿モードに変更した上で、ステップＳ２５へ戻る。一方、ステップＳ２７１において、制御手段８０は、湿度センサ７１の検知値が「目標湿度−５％」超であると判定した場合には（ステップＳ２７１でＮＯ）、ステップＳ２７３へ移行する。
【００４７】
ステップＳ２７３において、制御手段８０は、送風手段５を回転させたまま給水弁２３を閉塞させ、ステップＳ２７４に移行する。これにより、給水口２２ａから給水槽３１への給水が止まる。すなわち、加湿エレメント２への給水が止まる。このため、加湿エレメント２では気化蒸発が進むにつれ、加湿エレメント２が乾燥し、やがて居室内へ加湿された空気が供給されなくなるため、過加湿による使用者へ不快感を与えることがなくなる。なお、送風モード時において、加湿装置１００は、空気清浄フィルタ９０を用いた空気清浄運転を実施している。
【００４８】
ステップＳ２７４において、制御手段８０は、制御モードが送風モードであるため、乾燥タイマー８０ａのカウントを開始し、ステップＳ２７５に移行する。ここで、送風モードにおける加湿エレメント２の乾燥速度は、加湿エレメント２を通過する空気の湿度によって異なる。すなわち、低湿度の空気が加湿エレメント２を通過すると、気化蒸発の効果が高いため、加湿エレメント２はより早く乾燥する。一方、高湿度の空気が加湿エレメント２を通過すると、気化がなかなか進まないため、加湿エレメント２は乾燥に時間を要する、又は湿潤状態を保つことになる。このため、ステップＳ２７４において、制御手段８０は、後述の図３の表を用いて、乾燥タイマー８０ａのカウントを行うようにしている。
【００４９】
図３は本発明の実施の形態１に係る加湿装置１００の制御手段８０の乾燥タイマー８０ａのカウント方法を判定する一例を示す図である。制御手段８０は、上述した乾燥速度の性質に鑑み、湿度センサ７１の検知値に基づいて乾燥タイマー８０ａのカウント方法を変更する。ここで、図３に示される湿度センサ７１と乾燥タイマー８０ａのカウント数との対応関係は以下の通りである。
【００５０】
（１）湿度センサ７１の検知値が２０％以下の場合は、１秒につき＋４カウントとする。
（２）湿度センサ７１の検知値が２０％超から４０％以下の場合は、１秒につき＋２カウントとする。
（３）湿度センサ７１の検知値が４０％超から６０％以下の場合は、１秒につき＋１カウントとする。
（４）湿度センサ７１の検知値が６０％超から８０％以下の場合は、２秒につき＋１カウントとする。
（５）湿度センサ７１の検知値が８０％超から９０％以下の場合は、１秒につき−１カウントとする。
（６）湿度センサ７１の検知値が９０％超の場合は、１秒につき−２カウントとする。
【００５１】
すなわち、制御手段８０は、湿度センサ７１の検知値が低いほど、乾燥タイマー８０ａのカウントを早める。また、制御手段８０は、湿度センサ７１の検知値が高いほど、乾燥タイマー８０ａのカウントを遅める。なお、制御手段８０は、湿度センサ７１の検知値が８０％超の場合には、マイナスカウントする制御を実施する。なお、本実施の形態１においては、乾燥タイマー８０ａのカウント値は最大３２４００とする。
【００５２】
このように、制御手段８０は、加湿エレメント２の乾燥状態を、単純に送風時間で判定せず、温湿度に応じてカウント方法を変更している。このため、加湿装置１００を停止したとき、加湿エレメント２の乾燥が不十分な状態で放置されることなく、カビや雑菌等の繁殖を抑制する制御（後述する乾燥モードまたは洗浄モード）を適宜実施できるようにしている。
【００５３】
また、加湿エレメント２が一旦乾燥した後でも、カビや雑菌等が繁殖しやすい湿度８０％超の空気を吸い込んだ場合は、カビや雑菌等が加湿エレメント２上で繁殖する可能性がある。このため、制御手段８０は、湿度センサ７１の検知値が８０％超である場合には、乾燥タイマー８０ａをマイナスカウントする。これにより、制御手段８０は、加湿装置１００の停止後、カビや雑菌等の繁殖を抑制する制御（後述する乾燥モードまたは洗浄モード）を適宜実施することができる。
【００５４】
なお、乾燥速度（乾燥タイマー８０ａのカウント方法）は、制御手段８０が加湿装置１００の運転を開始する前に適切な乾燥速度を算出しておくことが望ましい。また、乾燥速度は、加湿エレメント２を通過する空気の湿度だけでなく送風量に応じて変化するので、送風量が２倍になった場合には、カウントを２倍するような処理を行ってもよい。
【００５５】
ステップＳ２７５において、制御手段８０は、操作手段７０により加湿装置１００の停止を要求する操作がされたか否かを判定する。ステップＳ２７５において、制御手段８０は、操作手段７０により加湿装置１００の停止を要求する操作がされたと判定した場合には（ステップＳ２７５でＹＥＳ）、加湿装置の運転シーケンスを終了し、後述する加湿装置の停止シーケンスに基づいて動作する。一方、ステップＳ２７５において、制御手段８０は、操作手段７０により加湿装置１００の停止を要求する操作がされなかったと判定した場合は（ステップＳ２７５でＮＯ）、ステップＳ２７１に戻る。
【００５６】
なお、図２で説明した加湿装置の運転シーケンスにおいて、制御手段８０は、湿度センサ７１の検知値と目標湿度との比較結果から加湿モード又は送風モードを自動で判定していたが、操作手段７０から加湿モード又は送風モードを直接指示できるような手段を別途設けてもよい。
【００５７】
図４は本発明の実施の形態１に係る加湿装置１００の停止時の制御例を説明するフローチャート（加湿装置の停止シーケンス）である。図５は本発明の実施の形態１に係る加湿装置１００の制御手段８０の制御モードを判定する一例を示す図である。図６は本発明の実施の形態１に係る加湿装置１００の停止モードにおける停止時間を判定する一例を示す図である。
【００５８】
図４，図５を用いて、加湿装置１００の運転を停止する要求があった後に行われる、ステップＳ３１〜Ｓ３３、ステップＳ３４１〜Ｓ３４５、ステップＳ３５１〜Ｓ３５５、及びステップＳ３６１〜Ｓ３６４について説明する。なお、加湿装置１００の停止操作は、例えば、操作手段７０に設けられた加湿装置１００の運転停止を要求するボタン（図示省略）又は操作手段７０に設けられたスケジュール機能（図示省略）を選択することで実行される。
【００５９】
なお、以降の説明において、加湿装置の停止シーケンス中に、制御手段８０が、給水弁２３を開放し送風手段５を停止させる制御モードを、洗浄モードと称することがある。
また、以降の説明において、加湿装置の停止シーケンス中に、制御手段８０が、給水弁２３を閉塞し送風手段５を停止させる制御モードを、停止モードと称することがある。
また、以降の説明において、加湿装置の停止シーケンス中に、制御手段８０が、給水弁２３を閉塞し送風手段５を回転させる制御モードを、乾燥モードと称することがある。
【００６０】
ステップＳ３１において、制御手段８０は、図５に示す制御モード温湿度マップに基づいて制御モードを判定し、ステップＳ３２に移行する。図５の制御モード温湿度マップは、具体的には、以下の通りである。
【００６１】
（１）温度センサ７２の検知値が０℃以下の場合は、湿度センサ７１の検知値によらず、停止モードとする。
（２）温度センサ７２の検知値が０℃超で且つ湿度センサ７１の検知値が８０％超で、洗浄モードとする。
（３）温度センサ７２の検知値が０℃超で且つ湿度センサ７１の検知値が８０％以下で、乾燥モードとする。
上記（２）及び（３）についての詳細は、以下の通りである。
【００６２】
（２−１）温度センサ７２の検知値が０℃超で且つ１０℃以下の場合であって湿度センサ７１の検知値が８０％超の場合に、洗浄モード（停止時間９０分）とする。
（２−２）温度センサ７２の検知値が１０℃超で且つ１５℃以下の場合であって湿度センサ７１の検知値が８０％超の場合に、洗浄モード（停止時間６０分）とする。
（２−３）温度センサ７２の検知値が１５℃超で且つ２０℃以下の場合であって湿度センサ７１の検知値が８０％超の場合に、洗浄モード（停止時間４０分）とする。
（２−４）温度センサ７２の検知値が２０℃超で且つ４０℃以下の場合であって湿度センサ７１の検知値が８０％超の場合に、洗浄モード（停止時間２０分）とする。
【００６３】
（３−１）温度センサ７２の検知値が０℃超の場合であって湿度センサ７１の検知値が６０％超で且つ８０％以下の場合に、乾燥モード（２秒につき１カウント）とする。
（３−２）温度センサ７２の検知値が０℃超の場合であって湿度センサ７１の検知値が４０％超で且つ６０％以下の場合に、乾燥モード（１秒につき１カウント）とする。
（３−３）温度センサ７２の検知値が０℃超の場合であって湿度センサ７１の検知値が２０％超で且つ４０％以下の場合に、乾燥モード（１秒につき２カウント）とする。
（３−４）温度センサ７２の検知値が０℃超の場合であって湿度センサ７１の検知値が０％超で且つ２０％以下の場合に、乾燥モード（１秒につき４カウント）とする。
【００６４】
図５に示されるような表のように制御モードを決定する理由について、以下に詳しく説明する。なお、図５に示されている制御モード温湿度マップは一例であり、湿度の閾値や温度の閾値等は、ターゲットとするカビや雑菌等の性質により適宜変更しても構わない。
【００６５】
（１）制御手段８０は、カビや雑菌等が繁殖しにくい温度０℃以下の環境である場合には、カビや雑菌等の繁殖を抑制する制御（後述する乾燥モードまたは洗浄モード）が不要であるため、節水と節電の観点から停止モードに設定する。
【００６６】
（２）制御手段８０は、カビや雑菌等が繁殖しやすい温度０℃超の場合であって送風による加湿エレメント２の乾燥効果が見込める湿度８０％以下である場合には、乾燥モードに設定する。
【００６７】
（３）制御手段８０は、カビや雑菌等が繁殖しやすい温度０℃超の場合であって送風による加湿エレメント２の乾燥効果が見込めない湿度８０％超である場合には、洗浄モードに設定する。
【００６８】
ステップＳ３２において、制御手段８０は、ステップＳ３１における制御モード温湿度マップ上の制御モードが、洗浄モード、停止モード、及び乾燥モードの何れであるかを判定する。
【００６９】
ステップＳ３２において、制御手段８０は、ステップＳ３１の判定結果が乾燥モードであれば、ステップＳ３３に移行する。ステップＳ３２において、制御手段８０は、ステップＳ３１の判定結果が洗浄モードであれば、ステップＳ３４に移行する。ステップＳ３２において、制御手段８０は、ステップＳ３１の判定結果が停止モードであれば、ステップＳ３５１に移行する。
【００７０】
ステップＳ３３において、制御手段８０は、乾燥タイマー８０ａのカウント値が規定値に到達したか否かを判定する。ステップＳ３３において、制御手段８０は、乾燥タイマー８０ａのカウント値が規定値に到達したと判定した場合には（ステップＳ３３でＹＥＳ）、ステップＳ３５１に移行する。一方、ステップＳ３３において、制御手段８０は、乾燥タイマー８０ａのカウント値が規定値に到達していないと判定した場合には（ステップＳ３３でＮＯ）、ステップＳ３６１に移行する。
【００７１】
ステップＳ３４において、制御手段８０は、乾燥タイマー８０ａのカウント値が規定値に到達したか否かを判定する。ステップＳ３４において、制御手段８０は、乾燥タイマー８０ａのカウント値が規定値に到達したと判定した場合には（ステップＳ３４でＹＥＳ）、ステップＳ３５１に移行する。一方、ステップＳ３４において、制御手段８０は、乾燥タイマー８０ａのカウント値が規定値に到達していないと判定した場合には（ステップＳ３４でＮＯ）、ステップＳ３４１に移行する。
【００７２】
なお、本実施の形態１では、乾燥タイマー８０ａのカウント値の規定値は、例えば１０８００であるとする。また、本実施の形態１における規定値は、湿度センサ７１の検知値が４０％超６０％以下の状態で、加湿装置１００が送風モードまたは後述する乾燥モードで３時間動作した場合のカウント値である。加湿エレメント２が最大保水量湿潤していた場合に、湿度センサ７１の検知値が４０％超６０％以下の状態で加湿エレメント２が乾燥するまでの時間に相当する。乾燥タイマー８０ａのカウント値の規定値は、例えば、制御手段８０が加湿装置１００の運転を開始する前に算出される。
【００７３】
また、ステップＳ３３またはステップＳ３４において、乾燥タイマー８０ａのカウント値が規定値に到達するということは、加湿エレメント２が乾燥状態であり、カビや雑菌等の繁殖を抑制する制御（後述する乾燥モードまたは洗浄モード）を実施する必要がないことを意味している。なお、ステップＳ３３またはステップＳ３４における規定値１０８００は、乾燥タイマーの最大値３２４００よりも小さい値としている。これにより、加湿エレメントが例えば５時間乾燥した状態（すなわち、乾燥タイマーが１８０００となった場合）で、一瞬でも８０％以上の空気を検知し、そのタイミングで停止操作が入った場合であっても、ステップＳ３３では乾燥モードに入らず、またステップＳ３４においては洗浄モードに入らないようになる。本来加湿エレメントが乾燥しきった状態で、短時間の高湿空気を吸い込んだだけでは、即カビや菌が繁殖することはない。上記制御とすることで、一旦加湿エレメントが十分乾燥した後は、乾燥モードや洗浄モードを無駄に実施しないようにしている。
【００７４】
一方、ステップＳ３３またはステップＳ３４において、乾燥タイマー８０ａのカウント値が規定値に到達していないということは、加湿エレメント２が乾燥しきっておらず、カビや雑菌等の繁殖を抑制する制御（後述する乾燥モードまたは洗浄モード）を適宜実施する必要があることを意味している。
【００７５】
なお、ステップＳ３４２からステップＳ３４５までは洗浄モードの動作である。また、ステップＳ３５２からステップＳ３５５までは停止モードの動作である。また、ステップＳ３６２からステップＳ３６４までは乾燥モードの動作である。
【００７６】
ステップＳ３４１において、制御手段８０は、制御モードを洗浄モードへ変更し、ステップＳ３４２に移行する。ステップＳ３４２において、制御手段８０は、給水弁２３を開放し送風手段５を停止させることで、加湿エレメント２の洗浄を開始し、ステップＳ３４３に移行する。ステップＳ３４３において、制御手段８０は、洗浄モードで加湿エレメント２に給水されるため、乾燥タイマー８０ａを０クリアした上でカウント停止し、ステップＳ３４４に移行する。
【００７７】
ステップＳ３４４において、制御手段８０は、操作手段７０により加湿装置１００の運転を要求する操作がされたか否かを判定する。ステップＳ３４４において、制御手段８０は、操作手段７０により加湿装置１００の運転の開始を要求する操作がされたと判定した場合には（ステップＳ３４４でＹＥＳ）、加湿装置の停止シーケンスを終了し、前述した加湿装置の運転シーケンスに基づき動作する。一方、ステップＳ３４４において、制御手段８０は、操作手段７０により加湿装置１００の運転の開始を要求する操作がされなかったと判定した場合には（ステップＳ３４４でＮＯ）、ステップＳ３４５に移行する。
【００７８】
ステップＳ３４５において、制御手段８０は、洗浄モードを開始してから一定時間経過したか否かを判定する。ステップＳ３４５において、制御手段８０は、洗浄モードを開始してから一定時間が経過したと判定した場合には（ステップＳ３４５でＹＥＳ）、ステップＳ３５１に進み、停止モードの動作を実施する。一方、ステップＳ３４５において、制御手段８０は、洗浄モードを開始してから一定時間が経過していないと判定した場合には（ステップＳ３４５でＮＯ）、ステップＳ３４４に戻る。
【００７９】
なお、ステップＳ３４５における一定時間は例えば５分であるが、具体的な時間はこれに限定されるものではなく、加湿エレメント２の最大保水量分の水を入れ替えるのに必要な時間を適宜決定することができる。なお、この時間は、例えば、制御手段８０が加湿装置１００の運転を開始する前に算出する。
【００８０】
ステップＳ３５１において、制御手段８０は、制御モードを停止モードへ変更し、ステップＳ３５２に移行する。ステップＳ３５２において、制御手段８０は、給水弁２３を閉塞させ送風手段５を停止させ、ステップＳ３５３に移行する。
【００８１】
ステップＳ３５３において、制御手段８０は、温度センサ７２の検知値に基づいて、停止モードの実施時間（以降、停止時間と称することがある）を決定する。具体的には、制御手段８０は、図６に示す表を参照して停止時間を決定する。図６については、詳しくは以下の通りである。
【００８２】
（１）温度センサ７２の検知値が０℃以下の場合は、停止時間を１２０分とする。
（２）温度センサ７２の検知値が０℃超から１０℃以下の場合は、停止時間を９０分とする。
（３）温度センサ７２の検知値が１０℃超から１５℃以下の場合は、停止時間を６０分とする。
（４）温度センサ７２の検知値が１５℃超から２０℃以下の場合は、停止時間を４０分とする。
（５）温度センサ７２の検知値が２０℃超の場合は、停止時間を２０分とする。
【００８３】
このように、制御手段８０は、温度センサ７２の検知値が低い場合には、カビや雑菌が繁殖しにくい環境となるため、停止時間を長くする。また、制御手段８０は、温度センサ７２の検知値が高い場合には、カビや雑菌が繁殖しやすい環境となるため、停止時間を短くする。
【００８４】
すなわち、カビは、高湿度環境下で温度が２０℃〜３０℃で活性し、加湿ユニットの生乾き臭の原因となる雑菌等は、高湿度環境下で温度が２５℃以上で活性するという一般的な性質に基づき停止時間を変更するのである。これにより、停止時間を２０分等の固定値で制御する場合に比べ、洗浄モードでの動作が頻繁に実施されることがなくなり、節水することができる。
【００８５】
なお、ステップＳ３５３においては、加湿装置の停止シーケンスで既に停止時間が設定済みであれば、ステップＳ３５３を行わないようにしてもよいし、例えば１０分単位できめ細かく再設定するようにしてもよい。
【００８６】
ステップＳ３５４において、制御手段８０は、操作手段７０により加湿装置１００の運転の開始を要求する操作がされたか否かを判定する。ステップＳ３５４において、制御手段８０は、操作手段７０により加湿装置１００の運転の開始を要求する操作がされたと判定した場合には（ステップＳ３５４でＹＥＳ）、加湿装置の停止シーケンスを終了し、前述した加湿装置の運転シーケンスに基づき動作する。一方、ステップＳ３５４において、制御手段８０は、操作手段７０により加湿装置１００の運転の開始を要求する操作がされなかったと判定した場合には（ステップＳ３５４でＮＯ）、ステップＳ３５５に移行する。
【００８７】
ステップＳ３５５において、制御手段８０は、停止モードを開始してからステップＳ３５３で設定した停止時間が経過したか否かを判定する。ステップＳ３５５において、制御手段８０は、停止モードを開始してからステップＳ３５３で設定した停止時間が経過したと判定した場合には（ステップＳ３５５でＹＥＳ）、ステップＳ３１に戻る。一方、ステップＳ３５５において、制御手段８０は、停止モードを開始してからステップＳ３５３で設定した停止時間が経過していないと判定した場合には（ステップＳ３５５でＮＯ）、ステップＳ３５３に戻る。
【００８８】
ステップＳ３６１において、制御手段８０は、制御モードを乾燥モードへ変更し、ステップＳ３６２に移行する。ステップＳ３６２において、制御手段８０は、給水弁２３を閉塞し送風手段５を回転させることで、加湿エレメント２の乾燥を開始し、ステップＳ３６３に移行する。
【００８９】
ステップＳ３６３において、制御手段８０は、ステップＳ２７４と同様に、乾燥速度の性質に鑑み、湿度センサ７１の検知値に基づいて乾燥タイマー８０ａのカウント方法を変更する。具体的には、制御手段８０は、図３に示す表を用いてカウント方法を決定する。図３の詳細については説明を省略する。なお、本実施の形態１においては、温度センサ７２の検知値が０℃超で且つ湿度センサ７１の検知値が８０％超の場合、ステップＳ３２において洗浄モードの判定となるため、ステップＳ３６３に入ることはない。
【００９０】
ステップＳ３６４において、制御手段８０は、操作手段７０により加湿装置１００の運転開始を要求する操作がされたか否かを判定する。ステップＳ３６４において、制御手段８０は、操作手段７０により加湿装置１００の運転開始を要求する操作がされたと判定した場合には（ステップＳ３６４でＹＥＳ）、加湿装置の停止シーケンスを終了し、加湿装置の運転シーケンスに基づき動作する。一方、ステップＳ３６４において、制御手段８０は、操作手段７０により加湿装置１００の運転開始を要求する操作がされなかったと判定した場合には（ステップＳ３６４でＮＯ）、ステップＳ３１に戻る。
【００９１】
ここで、ステップＳ３２において、制御手段８０が、図５の制御モード温湿度マップ上の制御モードを判定した結果、乾燥モードの状態を継続し、且つ操作手段７０により加湿装置１００の運転開始を要求する操作がされなかった場合の動作について補足説明する。
【００９２】
上述したように、ステップＳ３３において、制御手段８０が、乾燥タイマー８０ａのカウント値が規定値に到達していない、すなわち加湿エレメント２が乾燥しきっていないと判定した場合には（ステップＳ３３でＮＯ）、ステップＳ３６１に移行する。
【００９３】
ステップＳ３６１において、制御手段８０は、乾燥モードを開始し、ステップＳ３６２に移行する。そして、制御手段８０は、ステップＳ３６２〜ステップＳ３６４、ステップＳ３１、ステップＳ３２、ステップＳ３３、ステップＳ３６１を順に処理し、乾燥モードの動作を継続することになる。
【００９４】
最終的には、ステップＳ３３において、制御手段８０は、乾燥タイマー８０ａのカウント値が規定値に到達し、すなわち加湿エレメント２が乾燥してカビや雑菌等の繁殖を抑制する制御をする必要がなくなり（ステップＳ３３でＹＥＳ）、ステップＳ３５１に移行する。
【００９５】
ステップＳ３５１において、制御手段８０は、停止モードを開始し、ステップＳ３５２に移行する。そして、制御手段８０は、ステップＳ３５２〜ステップＳ３５５、ステップＳ３１、ステップＳ３２、ステップＳ３３、ステップＳ３５１を順に処理し、停止モードの動作を継続することになる。なお、停止モードを継続中に、湿度センサ７１の検知値が８０％超となり乾燥タイマー８０ａがマイナスカウントされ、乾燥タイマー８０ａが規定値を下回った場合は、ステップＳ３４にて、洗浄モードの判定となる。
【００９６】
すなわち、加湿装置の停止シーケンスにおいて、制御手段８０は、乾燥タイマー８０ａのカウント値が規定値に達している場合、すなわち、加湿エレメント２が既に乾燥状態（カビや雑菌等が繁殖しない状態）である場合には、乾燥モードを行わない。このため、節電することができる。同様に、加湿装置の停止シーケンスにおいて、制御手段８０は、乾燥タイマー８０ａのカウント値が規定値に達している場合、すなわち、加湿エレメント２が既に乾燥状態（カビや雑菌等が繁殖しない状態）である場合には、洗浄モードを行わない。このため、節水することができる。
【００９７】
次に、ステップＳ３２において、制御手段８０が、図５の制御モード温湿度マップ上の制御モードを判定した結果、洗浄モードの状態を継続し、且つ操作手段７０により加湿装置１００の運転開始を要求する操作がされなかった場合の動作について補足説明する。
【００９８】
ステップＳ３４１において、制御手段８０は、洗浄モードを開始し、この状態を継続すると、ステップＳ３４２〜ステップＳ３４５、ステップＳ３５１、と順次移行し、停止モードを開始する。そして、制御手段８０は、ステップＳ３５２〜ステップＳ３５５、ステップＳ３１、ステップＳ３２、ステップＳ３４１を順に処理し、洗浄モード及び停止モードの動作を繰り返し実施することになる。
【００９９】
次に、ステップＳ３２において、制御手段８０が、図５の制御モード温湿度マップ上の制御モードを判定した結果、停止モードの状態を継続し、且つ操作手段７０により加湿装置１００の運転開始を要求する操作がされなかった場合の動作について補足説明する。
【０１００】
ステップＳ３５１において、制御手段８０は、停止モードを開始し、ステップＳ３５２に移行する。そして、制御手段８０は、ステップＳ３５２〜ステップＳ３５５、ステップＳ３１、ステップＳ３２、ステップＳ３５１を順に処理し、停止モードの動作を継続することになる。
【０１０１】
次に、ステップＳ３２において、制御手段８０が、図５の制御モード温湿度マップ上の制御モードを判定した結果、停止モードから乾燥モードへ変化し、且つ操作手段７０により加湿装置１００の運転開始を要求する操作がされなかった場合の動作について補足説明する。
【０１０２】
ステップＳ３５１において、制御手段８０は、停止モードを開始し、ステップＳ３５２に移行する。そして、ステップＳ３５２〜ステップＳ３５５において、停止モードの動作を完了する前に、湿度センサ７１の検知値及び温度センサ７２の検知値が、図５の制御モード温湿度マップ上の乾燥モードの判定となる温湿度となる場合がある。
【０１０３】
このような場合に、ステップＳ３５５において、制御手段８０は、停止モードの動作を完了し、乾燥タイマー８０ａのカウント値が規定値に到達していないと判定した場合には、ステップＳ３１、ステップＳ３２、ステップＳ３３、ステップＳ３６１を順に処理する。すなわち、停止モードから乾燥モードの動作へ移行することになる。
【０１０４】
一方、ステップＳ３５５において、制御手段８０は停止モードの動作を完了し、乾燥タイマー８０ａのカウント値が規定値に到達したと判定した場合には、ステップＳ３１、ステップＳ３２、ステップＳ３３、ステップＳ３５１と順に処理する。すなわち、停止モードの動作を継続することになる。
【０１０５】
次に、ステップＳ３２において、制御手段８０が、図５の制御モード温湿度マップ上の制御モードを判定した結果、乾燥モードから停止モードへ変化し、且つ操作手段７０により加湿装置１００の運転開始を要求する操作がされなかった場合の動作について補足説明する。
【０１０６】
制御手段８０は、ステップＳ３１、ステップＳ３２、ステップＳ３３、ステップＳ３６１〜ステップＳ３６４という一連の動作を乾燥モードで繰り返し実施しているとき、湿度センサ７１の検知値及び温度センサ７２の検知値が、図５の制御モード温湿度マップ上の停止モードの判定となる温湿度となった場合には、ステップＳ３６４において、制御手段８０は、乾燥モードを完了した後、ステップＳ３１、ステップＳ３２、ステップＳ３５１と順に処理し、停止モードの動作へ移行することになる。
【０１０７】
次に、ステップＳ３２において、制御手段８０が、図５の制御モード温湿度マップ上の制御モードを判定した結果、停止モードから洗浄モードへ変化し、且つ操作手段７０により加湿装置１００の運転開始を要求する操作がされなかった場合の動作について補足説明する。
【０１０８】
ステップＳ３５１において、制御手段８０は停止モードを開始し、ステップＳ３５１〜ステップＳ３５５で停止モードの動作を完了する前に、湿度センサ７１の検知値、及び温度センサ７２の検知値が、図５の制御モード温湿度マップ上の洗浄モードの判定となる温湿度となった場合には、ステップＳ３５５で停止モードの動作を完了すると、ステップＳ３１、ステップＳ３２、ステップＳ３４と順に処理する。ステップＳ３４で、乾燥タイマー８０ａのカウント値が規定値に到達していないと判定した場合には（ステップＳ３４でＮＯ）、ステップＳ３４１に進む。すなわち、停止モードの動作から洗浄モードの動作へ移行する。なお、ステップＳ３４で、乾燥タイマー８０ａのカウント値が規定値に到達していると判定した場合には（ステップＳ３４でＹＥＳ）、停止モードを継続することになる。
【０１０９】
次に、ステップＳ３２において、制御手段８０が、図５の制御モード温湿度マップ上の制御モードを判定した結果、洗浄モードから停止モードへ変化し、且つ操作手段７０により加湿装置１００の運転開始を要求する操作がされなかった場合の動作について補足説明する。
【０１１０】
ステップＳ３４１において、制御手段８０は、洗浄モードを開始し、ステップＳ３４２に移行する。制御手段８０は、ステップＳ３４２〜ステップＳ３４５を処理した後にステップＳ３５１に移行し、停止モードを開始する。
【０１１１】
次に、ステップＳ３２において、制御手段８０が、図５の制御モード温湿度マップ上の制御モードを判定した結果、洗浄モードから乾燥モードへ変化し、且つ操作手段７０により加湿装置１００の運転開始を要求する操作がされなかった場合の動作について補足説明する。
【０１１２】
ステップＳ３４１において、制御手段８０は、洗浄モードを開始し、ステップＳ３４２に移行する。制御手段８０は、ステップＳ３４２〜ステップＳ３４５を処理した後にステップＳ３５１に移行し、停止モードを開始し、ステップＳ３５２〜ステップＳ３５５を処理する。
【０１１３】
制御手段８０は、湿度センサ７１の検知値及び温度センサ７２の検知値が図５の制御モード温湿度マップ上の乾燥モードの判定となる温湿度であって乾燥タイマー８０ａのカウント値が規定値に到達していないと判定した場合には（ステップＳ３３でＮＯ）、ステップＳ３１、ステップＳ３２、ステップＳ３３、ステップＳ３６１を順に処理する。すなわち、停止モードの動作から乾燥モードの動作へ移行する。
【０１１４】
一方、制御手段８０は、湿度センサ７１の検知値及び温度センサ７２の検知値が、図５の制御モード温湿度マップ上の乾燥モードの判定となる温湿度であって乾燥タイマー８０ａのカウント値が規定値に到達したと判定した場合には（ステップＳ３３でＹＥＳ）、ステップＳ３１、ステップＳ３２、ステップＳ３３、ステップＳ３５１を順に処理する。すなわち、停止モードの動作を継続する。
【０１１５】
このように、図５の制御モード温湿度マップ上の制御モードが洗浄モードから乾燥モードへ変化する場合に、洗浄モードから乾燥モードへ直接移行しないで、洗浄モード、停止モード、乾燥モードを順に行うようにしている。このため、洗浄モードで発生する残水４２が排水される時間を確保できるため、乾燥モードの動作により加湿エレメント２上でカルキ成分が高濃度になることを抑制できる。
【０１１６】
次に、ステップＳ３２において、制御手段８０が、図５の制御モード温湿度マップ上の制御モードを判定した結果、乾燥モードから洗浄モードへ変化し、且つ操作手段７０により加湿装置１００の運転開始を要求する操作がされなかった場合の動作について補足説明する。
【０１１７】
ステップＳ３１、ステップＳ３２、ステップＳ３３、ステップＳ３６１〜ステップＳ３６４の一連の動作を乾燥モードで繰り返し実施しているとき、湿度センサ７１の検知値、及び温度センサ７２の検知値が、図５の制御モード温湿度マップ上の洗浄モードの判定となる温湿度となった場合について考える。このとき、ステップＳ３６４において、制御手段８０は、乾燥モードの動作を完了した後、ステップＳ３１、ステップＳ３２、ステップＳ３４と順に進み、ステップＳ３４で、乾燥タイマー８０ａのカウント値が規定値に到達していないと判定した場合には（ステップＳ３４でＮＯ）、ステップＳ３４１に進み、洗浄モードの動作を開始する。
【０１１８】
以上のように、本実施の形態１に係る加湿装置１００は、温度センサ７２の検知値及び湿度センサ７１の検知値に基づいて、給水弁２３を開放し送風手段５を停止させる洗浄モード、給水弁２３を閉塞し送風手段５を停止させる停止モード、及び給水弁２３を閉塞し送風手段５を回転させる乾燥モードのうち何れかを選択する選択処理を行う。
このため、カビや雑菌等が加湿エレメント２上で繁殖することを抑制し、節水及び節電を考慮する加湿装置１００を得ることができる。
【０１１９】
また、制御手段８０は、制御モードに応じて（具体的には送風モード、停止モード、及び乾燥モードにおいて）、給水弁２３を開放又は閉塞する制御を行う。このため、加湿供給水３２を無駄に消費し続けることがなく、節水することができる。
【０１２０】
また、制御手段８０は、加湿エレメント２の乾燥状態を単純に送風時間で判断せず、温湿度に応じてカウント方法を変更し、加湿装置１００を停止した状態で、運転（上述の乾燥モードまたは洗浄モード）を適宜実施する。このため、カビや雑菌等の繁殖を抑制し、加湿エレメント２の乾燥が不十分な状態で放置されることを抑制できる。
【０１２１】
また、制御手段８０は、加湿エレメント２が一旦乾燥した状態において、乾燥タイマー８０ａのカウント値が規定値に到達した状態でも、カビや雑菌等が繁殖しやすい湿度８０％超の空気を吸い込んだ場合には、乾燥タイマー８０ａをマイナスカウントする。このため、制御手段８０は、加湿装置１００の停止後、カビや雑菌等の繁殖を抑制する制御（上述した乾燥モードまたは洗浄モード）を適宜実施することができる。したがって、次回、送風手段５が運転する際に、カビや雑菌等と共に異臭を居室内に撒き散らすことを抑制できる。
【０１２２】
また、制御手段８０は、加湿装置の停止シーケンスにおいて、乾燥タイマー８０ａのカウント値に基づいて乾燥モードでの動作を行なわないようにした。このため、制御手段８０は、加湿エレメント２が既に乾燥状態にある場合、換言するとカビや雑菌等が繁殖しない状態の場合には、乾燥モードを開始しないため、節電することができる。
同様に、制御手段８０は、加湿装置の停止シーケンスにおいて、乾燥タイマー８０ａのカウント値に基づいて洗浄モードでの動作を行なわないようにした。このため、制御手段８０は、加湿エレメント２が既に乾燥状態にある場合、換言するとカビや雑菌等が繁殖しない状態の場合には、洗浄モードを開始しないため、節水することができる。
【０１２３】
また、制御手段８０は、図５の温湿度マップ上の制御モードが洗浄モードから乾燥モードへ移行させる場合に、洗浄モードから乾燥モードへ直接移行しないで、洗浄モード、停止モード、乾燥モードを順に行うようにしている。このため、洗浄モードで発生する残水４２が排水される時間を確保できるため、乾燥モードの動作により加湿エレメント２上でカルキ成分が高濃度になることを抑制できた。
【０１２４】
また、本実施の形態１の加湿装置１００は、制御手段８０が、加湿装置１００の運転停止期間中に、時々刻々と変化する加湿装置１００の温湿度環境に応じて制御モードを繰り返し判定し、シーケンスを適宜変更できるようになっている。このため、節電及び節水の効果を最大限引き出した上で、カビや雑菌等が繁殖しない加湿装置１００を得ることができる。
【０１２５】
なお、加湿エレメント２よりも上流側の空気が高湿となる場合には、吸込口１ａに接続されるダクトが室外へ連通している場合、すなわち、換気装置の給気風路に本装置を組み込んだ場合が想定される。加湿装置１００がこのような換気装置に組み込まれた場合に、本実施の形態１で示した制御は好適である。
【０１２６】
また、制御手段８０は、図５の制御モード温湿度マップ上の制御モードが洗浄モードの環境であり、洗浄モード及び停止モードの動作を繰り返し実施する場合であって温度センサ７２の検知値が低い場合には、カビや雑菌が繁殖しにくい環境となる。このため、停止時間を長くし、制御手段８０は、温度センサ７２の検知値が高い場合には、カビや雑菌が繁殖しやすい環境となるため、停止時間を短くする。
【０１２７】
すなわち、制御手段８０は、カビが高湿度環境下で温度が２０℃〜３０℃で活性し、加湿ユニットの生乾き臭の原因となる雑菌等が、高湿度環境下で温度が２５℃以上で活性する、という一般的な性質に基づいて停止時間を調整する。このため、停止時間を２０分等の固定値で制御する場合と比べ、洗浄モードでの動作を頻繁に実施することがなくなり、節水することができる。
【０１２８】
実施の形態２．
本実施の形態２は、実施の形態１とは異なり、洗浄モード、停止モード、及び乾燥モードに加え、節水モード及び節電モードを導入している。具体的には、本実施の形態２は、実施の形態１とは異なり、制御手段８０が、加湿装置の停止シーケンス中に、節水モード及び節電モードであるか否かを考慮した上で、洗浄モード、停止モード、及び乾燥モードの何れかの運転を開始する。
【０１２９】
なお、本実施の形態２において、特に記述しない項目については、実施の形態１と同様とし、同一の機能や構成については同一の符号を用いて述べることとする。また、実施の形態２において、実施の形態１と同一の機能や構成についての説明は適宜省略する。
【０１３０】
図７は本発明の実施の形態２に係る加湿装置１００の停止時の制御例を説明するフローチャート（加湿装置の停止シーケンス）である。図７を用いて、加湿装置１００の運転を停止する要求があった後に行われる、ステップＳ７１及びステップＳ７２について説明する。以降、上述した節水モード及び節電モードが、使用者が予め操作手段７０を操作することで設定されるものとして説明するが、ビル管理システム（図示省略）からの命令で設定されていてもよい。
【０１３１】
なお、ステップＳ３１〜ステップＳ３３は、実施の形態１のステップＳ３１〜ステップＳ３３と同一の処理であるため、説明を適宜省略する。また、ステップＳ３４１〜ステップＳ３４５は、実施の形態１のステップＳ３４１〜ステップＳ３４５と同一の処理であるため、説明を適宜省略する。また、ステップＳ３５１〜ステップＳ３５５は、実施の形態１のステップＳ３５１〜ステップＳ３５５と同一の処理であるため、説明を適宜省略する。また、ステップＳ３６１〜ステップＳ３６４は、実施の形態１のステップＳ３６１〜ステップＳ３６４と同一の処理であるため、説明を適宜省略する。
【０１３２】
ステップＳ３４において、制御手段８０が、乾燥タイマー８０ａが規定値に到達していないと判定した場合には（ステップＳ３４でＮＯ）、ステップＳ７１に移行する。
【０１３３】
ステップＳ７１において、制御手段８０は、操作手段７０により節水モードを設定する操作がされたか否かを判定する。ステップＳ７１において、制御手段８０は、操作手段７０により節水モードを設定する操作がされたと判定した場合には（ステップＳ７１でＹＥＳ）、ステップＳ３４１の洗浄モードを開始せずに、ステップＳ３６１へ移行し、乾燥モードを開始する。一方、ステップＳ７１において、制御手段８０は、操作手段７０により節水モードを設定する操作がされなかったと判定した場合には（ステップＳ７１でＮＯ）、ステップＳ３４１へ移行し、洗浄モードを開始する。
【０１３４】
ステップＳ３３において、制御手段８０が、乾燥タイマー８０ａが規定値に到達していないと判定した場合には（ステップＳ３３でＮＯ）、ステップＳ７２に移行する。
【０１３５】
ステップＳ７２において、制御手段８０は、操作手段７０により節電モードを設定する操作がされたか否かを判定する。ステップＳ７２において、制御手段８０は、操作手段７０により節電モードを設定する操作がされたと判定した場合には（ステップＳ７２でＹＥＳ）、ステップＳ３６１に移行しないでステップＳ３４１へ移行し、洗浄モードを開始する。一方、ステップＳ７２において、制御手段８０は、操作手段７０により節電モードを設定する操作がされなかったと判定した場合には（ステップＳ７２でＮＯ）、ステップＳ３６１に移行し、乾燥モードを開始する。
【０１３６】
以上のように、本実施の形態２に係る加湿装置１００は、制御手段８０が、加湿装置１００の停止要求後、制御モードが洗浄モードであり操作手段７０により節水モードを設定する操作がされた場合に、洗浄モードではなく乾燥モードを開始する。このため、特に異常気象等による渇水時等で節水する必要が生じた状況下においても、節水を満足した上でカビや雑菌等の繁殖を抑制可能となる。したがって、使用者にとって使い勝手が良い加湿装置１００を得られる。
【０１３７】
また、本実施の形態２に係る加湿装置１００は、制御手段８０が、加湿装置１００の停止要求後、制御モードが乾燥モードであり操作手段７０により節電モードを設定する操作がされた場合に、乾燥モードではなく洗浄モードを開始する。このため、特に、ビル管理システム等から節電指令が出ている状況にあっては、加湿エレメント２を乾燥させるために、非常に多くの時間（数十分〜数時間程度）を掛けて、送風手段５を回転させ続けることがなくなり、節電を満足した上でカビや雑菌等の繁殖を抑制できる。したがって、使用者にとって使い勝手が良い加湿装置１００を得られる。
【０１３８】
また、本実施の形態２に係る加湿装置１００は、制御手段８０が、加湿装置１００の停止要求後、操作手段７０により節水モード又は節電モードを設定する操作がされなかった場合に、選択された制御モードを開始する。すなわち、制御手段８０は、実施の形態１と同様の制御を行う。このため、温湿度の状況に応じてカビや雑菌等が繁殖する環境か否かを判断し、最適な制御モードで動作可能となるため、節水と節電を考慮した上で、加湿エレメント上でのカビや雑菌等の繁殖を抑制することができる。
【０１３９】
また、乾燥タイマー８０ａが単位時間毎にカウントするカウント数が、本発明の基準カウント数に相当する。
【０１４０】
実施の形態３．
本実施の形態３は、実施の形態１及び実施の形態２とは異なり、加湿装置１００が加熱手段８１を備えている。なお、本実施の形態３において、特に記述しない項目については、実施の形態１及び実施の形態２と同様とし、同一の機能や構成については同一の符号を用いて述べることとする。また、本実施の形態３において、実施の形態１及び実施の形態２と同一の機能や構成についての説明は適宜省略する。
【０１４１】
図８は本発明の実施の形態３に係る加湿装置１００の断面図である。図８に示されるように、本体１の内部の風路３上であって加湿エレメント２の上流側には、加熱手段８１が設けられている。制御手段８０は、加湿装置の停止シーケンス中に、加熱手段８１を適宜ＯＮ／ＯＦＦする制御を行う。加熱手段８１をＯＮにすることで、加湿エレメント２を通過する空気の相対湿度が低下する。なお、加熱手段８１は、加湿エレメント２の上流側にあればよく、例えば本体１の機外に設けられダクト接続により上流側に設けてもよい。
【０１４２】
図９は本発明の実施の形態３に係る加湿装置１００の停止時の制御例を説明するフローチャート（加湿装置の停止シーケンス）である。図９を用いて、加湿装置１００の運転を停止する要求があった後に行われる、ステップＳ９１〜Ｓ９６の処理について説明する。
【０１４３】
なお、ステップＳ３１〜ステップＳ３３は、実施の形態１のステップＳ３１〜ステップＳ３３と同一の処理であるため、説明を適宜省略する。また、ステップＳ７１〜ステップＳ７２は、実施の形態２のステップＳ７１〜ステップＳ７２と同一の処理であるため、説明を適宜省略する。また、ステップＳ３４１〜ステップＳ３４５は、実施の形態１のステップＳ３４１〜ステップＳ３４５と同一の処理であるため、説明を適宜省略する。また、ステップＳ３５１〜ステップＳ３５５は、実施の形態１のステップＳ３５１〜ステップＳ３５５と同一の処理であるため、説明を適宜省略する。また、ステップＳ３６１〜ステップＳ３６４は、実施の形態１のステップＳ３６１〜ステップＳ３６４と同一の処理であるため、説明を適宜省略する。
【０１４４】
ステップＳ３４において、制御手段８０は、乾燥タイマー８０ａのカウント値が規定値に到達したと判定した場合には（ステップＳ３４でＹＥＳ）、ステップＳ９３に移行する。一方、ステップＳ３４において、制御手段８０は、乾燥タイマー８０ａのカウント値が規定値に到達していないと判定した場合には（ステップＳ３４でＮＯ）、ステップＳ７１に移行する。
【０１４５】
ステップＳ７１において、制御手段８０が、操作手段７０により節水モードを設定する操作がされたと判定した場合には（ステップＳ７１でＹＥＳ）、ステップＳ９２に移行する。一方、ステップＳ７１において、制御手段８０が、操作手段７０により節水モードを設定する操作がされなかったと判定した場合には（ステップＳ７１でＮＯ）、ステップＳ９１に移行する。
【０１４６】
ステップＳ９１において、制御手段８０は、加熱手段８１をＯＦＦとし、ステップＳ３４１に移行し、洗浄モードを開始する。ステップＳ９２において、制御手段８０は、加熱手段８１をＯＮとし、ステップＳ３６１に移行し、乾燥モードを開始する。
【０１４７】
このように、制御手段８０は、図５の制御モード温湿度マップ上の制御モードが洗浄モードである高湿度の環境下において、加熱手段８１をＯＮとする制御を行い、乾燥モードを開始する。このようにして、加湿エレメント２を通過する空気の相対湿度を下げ、加湿エレメント２を乾燥させることができる。
【０１４８】
ステップＳ３２において、制御手段８０は、図５の制御モード温湿度マップ上の制御モードが停止モードであると判定した場合には、ステップＳ９３に移行する。ステップＳ９３において、制御手段８０は、加熱手段８１をＯＦＦとし、ステップＳ３５１へ移行し、停止モードを開始する。
【０１４９】
ステップＳ３２で、制御手段８０は、図５の制御モード温湿度マップ上の制御モードが乾燥モードであると判定した場合には、ステップＳ９４に移行する。ステップＳ９４において、制御手段８０は、加熱手段８１をＯＦＦとし、ステップＳ３３へ移行する。
【０１５０】
ステップＳ３４４において、制御手段８０は、操作手段７０により加湿装置１００の運転開始を要求する操作がされた場合には（ステップＳ３４４でＹＥＳ）、ステップＳ９５に移行する。ステップＳ３５４において、制御手段８０は、操作手段７０により加湿装置１００の運転開始を要求する操作がされた場合には（ステップＳ３５４でＹＥＳ）、ステップＳ９５に移行する。ステップＳ９５において、制御手段８０は、加熱手段８１をＯＦＦとした上で、加湿装置の運転シーケンスに基づいて動作を行う。
【０１５１】
ステップＳ３６４において、制御手段８０は、操作手段７０により加湿装置１００の運転開始を要求する操作がされた場合には（ステップＳ３６４でＹＥＳ）、ステップＳ９６に移行する。ステップＳ９６において、制御手段８０は、加熱手段８１をＯＦＦとした上で、加湿装置の運転シーケンスに基づいて動作を行う。
【０１５２】
以上のように、本実施の形態３に係る加湿装置１００は、加湿装置１００が停止された状態において、制御モードが洗浄モードであり操作手段７０により節水モードを設定する操作がされた場合に、加熱手段８１をＯＮにして乾燥モードを開始する。このため、最もカビや雑菌等の繁殖抑制効果が低い条件である高湿度環境下において、乾燥モードが行われるような場合であっても、加湿エレメント２を通過する空気の相対湿度を下げ、加湿エレメント２を乾燥させることができる。したがって、カビや雑菌等が加湿エレメント２上で繁殖することを抑制できる。
【０１５３】
また、制御手段８０は、制御モードが洗浄モードであり操作手段７０により節水モードを設定する操作がされた場合、すなわち高湿度環境下において乾燥モードを開始する場合を除き、加熱手段８１をＯＦＦにする。このため、節電を満足した上でカビや雑菌等の繁殖を抑制でき、使用者にとって使い勝手が良い加湿装置１００を得ることができる。
【０１５４】
実施の形態４．
本実施の形態４は、給水手段２１が供給する加湿供給水３２が、実施の形態１〜実施の形態３のように、本体１の外側から給水接続口１ｃを通して供給されるのではなく、本体１の内側に設置される着脱可能な給水タンク１３１から供給されるようにしている。
【０１５５】
また、本実施の形態４では、排水手段５１が排出する残水４２が、実施の形態１〜実施の形態３のように、本体１の外側へ排水接続口１ｄを通して排出されるのではなく、本体１の内側に設置される着脱可能な排水タンク１３２に排出されるようにしている。
【０１５６】
なお、本実施の形態４において、特に記述しない項目については実施の形態１〜実施の形態３と同様とし、同一の機能や構成については同一の符号を用いて述べることとする。また、本実施の形態４において、実施の形態１〜実施の形態３と同一の機能や構成についての説明は適宜省略する。
【０１５７】
図１０は本発明の実施の形態４に係る加湿装置１００の断面図である。図１０に示されるように、加湿装置１００は、給水タンク１３１及び排水タンク１３２を有する。給水タンク１３１は、本体１内に設けられ、給水手段２１を構成するタンクである。排水タンク１３２は、本体１内に設けられ、排水手段５１を構成するタンクである。
【０１５８】
給水配管２２は、一端が給水タンク１３１に接続され、他端（給水口２２ａ）が給水槽３１の上方に位置している。排水配管５２は、一端が排水タンク１３２に接続され、他端（排水口５２ａ）が排水槽４１の下方に位置している。
【０１５９】
本実施の形態４に係る加湿装置１００は、給水タンク１３１及び排水タンク１３２を有し、給水手段２１が供給する加湿供給水３２が、本体１の内側に設置される着脱可能な給水タンク１３１から供給され、さらに排水手段５１が排出する残水４２が、本体１の内側に設置される着脱可能な排水タンク１３２に排出される。このため、本実施の形態４のような可搬形の加湿装置１００についても、実施の形態１と同様の効果を得ることができる。
【産業上の利用可能性】
【０１６０】
以上説明したように、本発明は居室内を加湿する加湿装置に有用である。
【符号の説明】
【０１６１】
１  本体、１ａ  吸込口、１ｂ  吹出口、１ｃ  給水接続口、１ｄ  排水接続口、２  加湿エレメント、３  風路、５  送風手段、２１  給水手段、２２  給水配管、２２ａ  給水口、２３  給水弁、３１  給水槽、３２  加湿供給水、４１  排水槽、４２  残水、５１  排水手段、５２  排水配管、５２ａ  排水口、７０  操作手段、７１  湿度センサ、７２  温度センサ、８０  制御手段、８０ａ  乾燥タイマー、８１  加熱手段、９０  空気清浄フィルタ、１００  加湿装置、１３１  給水タンク、１３２  排水タンク。
【図１】
2015152182.tif 000003
【図２】
2015152182.tif 000004
【図３】
2015152182.tif 000005
【図４】
2015152182.tif 000006
【図５】
2015152182.tif 000007
【図６】
2015152182.tif 000008
【図７】
2015152182.tif 000009
【図８】
2015152182.tif 000010
【図９】
2015152182.tif 000011
【図１０】
2015152182.tif 000012